(57)【要約】      （修正有）【課題】入退室セキュリティ管理システムにおいて出入り口に設置された顔認証制御パネルを携帯電話と入れ替えて低コスト、効率なかつ便利な携帯電話による入退室セキュリティ管理システムを提供する。【解決手段】携帯電話において個人顔情報を保存せず、入退室セキュリティ管理システムの顔認証サーバーで顔認証を行い、携帯電話から入退室セキュリティ管理システムの顔認証サーバーへ送信した顔画像情報を暗号化し個人顔画像情報の送信中にその個人顔画像情報の盗用及び改ざんは不可能になり、周波数領域での分析方法により顔特徴を抽出したうえ、競合ニューラルネットを用いて最適化された顔特徴情報を獲得することによって激しい光変化や、顔表情変化等に対し、優れたロバスト性を持ち、さらに携帯電話の利便性により顔認証場所での移動が可能であり、極端な日光や照明を避けることもできるため、高認証精度が得られる。【選択図】図２
2008102890.tif 000002
【特許請求の範囲】
【請求項１】
携帯電話のカメラによる撮影したｎ×ｍ（ｎ≧ｍ）画素の顔画像情報に対し、正確な顔位置の測定方法。
【請求項２】
前記測定された顔位置情報に対し、正確な顔情報画像の抽出方法。
【請求項３】
前記抽出された顔画像情報に対し、周波数領域へ変換を行い、顔特徴の抽出方法。
【請求項４】
前記抽出された顔特徴情報に対し、ニューラルネットによる顔特徴情報の最適化方法。
【請求項５】
前記最適化された顔特徴情報に対し、顔特徴情報の作成方法。
【請求項６】
前記作成された顔特徴情報に対し、暗号化方法。
【請求項７】
前記暗号化された顔特徴情報に対し、復号化方法。
【請求項８】
前記復号化された顔特徴情報に対し、ノイズ除去方法。
【請求項９】
赤外線通信機能付きの携帯電話による登録用顔画像情報の作成方法。
【請求項１０】
赤外線通信機能付きの携帯電話よる認証用顔画像情報の送信方法。
【請求項１１】
携帯電話（使用環境：室外や室内にＧＰＳ受信良好状態）のＧＰＳ情報による登録用顔画像情報の作成方法。
【請求項１２】
携帯電話（使用環境：室外や室内にＧＰＳＧＰＳ受信良好状態）のＧＰＳ情報による認証用顔画像情報の送信方法。
【請求項１３】
携帯電話（使用環境：室内にＧＰＳ受信悪化状態）の簡易位置情報測定による登録用顔画像情報の作成方法。
【請求項１４】
携帯電話（使用環境：室内にＧＰＳ受信悪化状態）の簡易位置情報測定による認証用顔画像情報の送信方法。
【請求項１５】
入退室セキュリティ管理システムの顔認証サーバーに保存されたユーザ顔特徴の登録情報と認証際、携帯電話から送信された顔特徴情報との照合方法。
【請求項１６】
前記ユーザ顔特徴の登録情報と認証際、携帯電話から送信された顔特徴情報との照合による得られた類似度（閾値）の算出方法及び認証閾値の設定方法。
【請求項１７】
携帯電話のカメラによる撮影したｎ×ｍ（ｎ≧ｍ）画素の顔画像情報に対し、正確な顔位置を測定する機能を実現する計算機プログラム。
【請求項１８】
前記測定された顔位置情報に対し、正確な顔情報画像を抽出する機能を実現する計算機プログラム。
【請求項１９】
前記抽出された顔画像情報に対し、周波数領域へ変換を行い、顔特徴を抽出する機能を実現する計算機プログラム。
【請求項２０】
前記抽出された顔特徴情報に対し、ニューラルネットによる顔特徴情報を最適化する機能を実現する計算機プログラム。
【請求項２１】
前記最適化された顔特徴情報に対し、顔特徴情報を作成する機能を実現する計算機プログラム。
【請求項２２】
前記作成された顔特徴情報に対し、暗号化する機能を実現する計算機プログラム。
【請求項２３】
前記暗号化された顔特徴情報に対し、復号化する機能を実現する計算機プログラム。
【請求項２４】
前記復号化された顔特徴情報に対し、ノイズを除去する機能を実現する計算機プログラム。
【請求項２５】
赤外線通信機能付きの携帯電話による登録用顔画像情報を作成する機能を実現する計算機プログラム。
【請求項２６】
赤外線通信機能付きの携帯電話による認証用顔画像情報を送信する機能を実現する計算機プログラム。
【請求項２７】
携帯電話（使用環境：室外や室内にＧＰＳ受信良好状態）のＧＰＳ情報による登録用顔画像情報を作成する機能を実現する計算機プログラム。
【請求項２８】
携帯電話（使用環境：室外や室内にＧＰＳ受信良好状態）のＧＰＳ情報による認証用顔画像情報を送信する機能を実現する計算機プログラム。
【請求項２９】
携帯電話（使用環境：室内にＧＰＳ受信悪化状態）の簡易位置測定情報による登録用顔画像情報を作成する機能を実現する計算機プログラム。
【請求項３０】
携帯電話（使用環境：室内にＧＰＳ受信悪化状態）の簡易位置測定情報による認証用顔画像情報を送信する機能を実現する計算機プログラム。
【請求項３１】
入退室セキュリティ管理システムの顔認証サーバーに保存されたユーザ顔特徴の登録情報と認証際、携帯電話から送信された顔特徴情報との照合を行う機能を実現する計算機プログラム。
【請求項３２】
前記ユーザ顔特徴の登録情報と認証際、携帯電話から送信された顔特徴情報との照合による得られた類似度（閾値）を算出する機能及び認証閾値を設定する機能を実現する計算機プログラム。
【発明の詳細な説明】
【技術分野】
【０００１】  本発明は、顔認証を用いる携帯電話における赤外線通信機能や位置測定（ＧＰＳ、簡易位置測定）機能を利用して高度セキュリティ管理を必要とする施設に適用する低コスト、効率な入退室セキュリティ管理システム及びプログラムに関する。
【背景技術】
【０００２】  現在、携帯電話による赤外線通信機能や位置測定（ＧＰＳ、簡易位置）機能を高めるため従来、入退室セキュリティ管理システムにおいて出入り口に設置された顔認証制御パネルを携帯電話と入れ替えて低コスト、効率なかつ便利な携帯電話による入退室セキュリティ管理システムを構築する。
【発明の開示】
【発明が解決しようとする課題】
【０００３】  現在、入退室セキュリティ管理システムにおいて出入り口に設置された顔認証制御パネルにより認証用顔画像の撮影や顔認証用画像の転送、または利用者ＩＤカードＩＤ番号の読み取りを行うため入退室セキュリティ管理システムの導入コストは高いし、ユーザ登録や再登録に対して時間がかかるなどの不便利な問題がある。【０００４】  本発明は、携帯電話による認証用顔画像を撮影し、その顔画像は暗号化してさらに携帯電話の赤外線通信機能、または位置情報（ＧＰＳや簡易位置測定）機能より利用者が出入り口にいるか否かの情報を加えて入退室セキュリティ管理システムの顔認証サーバーへ送信し、入退室セキュリティ管理システムの顔認証サーバーにおいて顔認証を行う。【０００５】  これによって高価な顔認証制御パネルを使用せず、通常の携帯電話を用いて低コスト、効率なかつ便利な入退室セキュリティ管理システムを導入することが可能になる。【０００６】  携帯電話において個人顔情報を保存せず、入退室セキュリティ管理システムの顔認証サーバーで顔認証を行い、携帯電話から入退室セキュリティ管理システムの顔認証サーバーへ送信した顔画像情報を暗号化し個人顔画像情報の送信中にその個人顔画像情報の盗用及び改ざんは不可能になり、周波数領域での分析方法により顔特徴を抽出したうえ、競合ニューラルネットを用いて最適化された顔特徴情報を獲得することによって激しい光変化や、顔表情変化等に対し、優れたロバスト性を持ち、さらに携帯電話の利便性により顔認証場所での移動が可能であり、極端な日光や照明を避けることもできるため、高認証精度が得られる。
【課題を解決するための手段】
【０００７】  携帯電話のカメラによる撮影したｎ×ｍ（ｎ≧ｍ）画素の顔画像情報に対し、先ず、両目、両眉の位置を測定し、その両目、両眉の縦位置はほぼ同じで顔の中心線に対して対象であること、鼻、口は目の下部にあることなど顔全体の構造に関する知識を利用して、遺伝的アルゴリズムにより鼻を測定し、最後に遺伝的アルゴリズムにおける生物の遺伝と進化のメカリズムにより多数の候補の中から最適なものを選択し、口位置を測定する方法。【０００８】  前記測定された目、鼻、口位置により顔輪郭算出公式により正確な顔画像の抽出方法。【０００９】  前記抽出された顔画像に対し、抽出された顔画像に対し、周波数領域へ変換を行い、顔特徴情報の抽出方法。【００１０】  各種な教師パターン（サンプル顔画像）により訓練させた競合的なニューラルネットを用いて前記抽出された顔特徴情報から最適的な顔特徴情報の獲得方法。【００１１】  前記最適化された顔特徴情報に対し、顔特徴情報の作成方法。【００１２】  前記作成された顔特徴情報に対し、暗号化方法。【００１３】  前記暗号化された顔特徴情報に対し、復号化方法。【００１４】  前記復号化された顔特徴情報に対し、ノイズの除去方法。【００１５】  赤外線通信機能をもつ携帯電話による登録用顔画像情報の作成方法。【００１６】  赤外線通信機能をもつ携帯電話による認証用顔画像情報の送信方法。【００１７】  携帯電話（使用環境：室外や室内にＧＰＳ受信良好状態）のＧＰＳ情報による登録用顔画像情報の作成方法。【００１８】  携帯電話（使用環境：室外や室内にＧＰＳ受信良好状態）のＧＰＳ情報による認証用顔画像情報の送信方法。【００１９】  携帯電話（使用環境：室内にＧＰＳ受信悪化状態）の簡易位置測定情報による登録用顔画像情報の作成方法。【００２０】  携帯電話（使用環境：室内にＧＰＳ受信悪化状態）の簡易位置測定情報による認証用顔画像情報の送信方法。【００２１】  入退室セキュリティ管理システムの顔認証サーバーに保存されたユーザ顔特徴の登録情報と認証際、携帯電話から送信された顔特徴情報との照合方法。【００２２】  前記ユーザ顔特徴の登録情報と認証際、携帯電話から送信された顔特徴情報との照合による得られた類似度（閾値）に対し、認証閾値の設定方法。【００２３】  携帯電話のカメラによる撮影したｎ×ｍ（ｎ≧ｍ）画素の顔画像情報に対し、先ず、両目、両眉の位置を測定し、その両目、両眉の縦位置はほぼ同じで顔の中心線に対して対象であること、鼻、口は目の下部にあることなど顔全体の構造に関する知識を利用して、遺伝的アルゴリズムにより鼻を測定し、最後に遺伝的アルゴリズムにおける生物の遺伝と進化のメカリズムにより多数の候補の中から最適なものを選択し、口位置を測定する機能を実現する計算機プログラム。【００２４】  前記測定された目、鼻、口位置により顔輪郭算出公式により正確な顔画像を抽出する機能を実現する計算機プログラム。【００２５】  前記抽出された顔画像に対し、抽出された顔画像に対し、周波数領域へ変換を行い、顔特徴情報を抽出する機能を実現する計算機プログラム。【００２６】  各種な教師パターン（サンプル顔画像）により訓練させた競合的なニューラルネットを用いて前記抽出された顔特徴情���から最適的な顔特徴情報を獲得する機能を実現する計算機プログラム。【００２７】  前記最適化された顔特徴情報に対し、顔特徴情報の作成する機能を実現する計算機プログラム。【００２８】  前記作成された顔特徴情報に対し、暗号化する機能を実現する計算機プログラム。【００２９】  前記暗号化された顔特徴情報に対し、復号化する機能を実現する計算機プログラム。【００３０】  前記復号化された顔特徴情報に対しノイズを除去する機能を実現する計算機プログラム。【００３１】  赤外線通信機能をもつ携帯電話による登録用顔画像情報を作成する機能を実現する計算機プログラム。【００３２】  赤外線通信機能をもつ携帯電話による認証用顔画像情報を送信する機能を実現する計算機プログラム。【００３３】  携帯電話（使用環境：室外や室内にＧＰＳ受信良好状態）のＧＰＳ情報による登録用顔画像情報を作成する機能を実現する計算機プログラム。【００３４】  携帯電話（使用環境：室外や室内にＧＰＳ受信良好状態）のＧＰＳ情報による認証用顔画像情報を送信する機能を実現する計算機プログラム。【００３５】  携帯電話（使用環境：室内にＧＰＳ受信悪化状態）の簡易位置測定情報による登録用顔画像情報を作成する機能を実現する計算機プログラム。【００３６】  携帯電話（使用環境：室内にＧＰＳ受信悪化状態）の簡易位置測定情報による認証用顔画像情報を送信する機能を実現する計算機プログラム。【００３７】  入退室セキュリティ管理システムの顔認証サーバーに保存されたユーザ顔特徴の登録情報と認証際、携帯電話から送信された顔特徴情報との照合を行う機能を実現する計算機プログラム。【００３８】  前記ユーザ顔特徴の登録情報と認証際、携帯電話から送信された顔特徴情報との照合による得られた類似度（閾値）に対し、認証閾値を設定する機能を実現する計算機プログラム。
【発明の効果】
【００３９】  本発明は、携帯電話の位置測定（ＧＰＳ（使用環境：室外や室内にＧＰＳ受信良好状態）、簡易位置測定（使用環境：室内にＧＰＳ受信悪化状態））機能や赤外線通信機能を利用して低コスト、高率なかつ便利な高度入退室セキュリティ管理システムを獲得できる新しい方法及び計算機プログラムにおいて大きな効果を発揮する。【００４０】  本発明は、顔位置の精密な測定により正確な顔画像を獲得できる新しい方法及び計算機プログラムにおいて大きな効果を発揮する。【００４１】  最適化された顔特徴画像情報により高速度、高精度、優れたロバスト性な顔認証方法及び計算機プログラムにおいて大きな効果を発揮する。【００４２】  携帯電話に顔画像情報を保存せず、入退室セキュリティ管理システムの顔認証サーバーへ認証用顔特徴情報を送信し、入退室セキュリティ管理システムの顔認証サーバーで認証を行うことにより個人顔情報の盗用や、改ざんの問題を解決できる方法及び計算機プログラムにおいて大きな効果を発揮する。【００４３】  入退室セキュリティ管理システムの顔認証サーバーへ認証用顔特徴情報を送信する前、暗号化されるため、顔特徴情報の送信中にも個人顔情報の盗用や、改ざんなどの問題を解決できる方法及び計算機プログラムにおいて大きな効果を発揮する。
【発明を実施するための最良の状態】
【００４４】  以下、本発明の実施形態について説明する。
【００４５】  図１は、本発明の実施形態の一つである赤外線通信機能付きの携帯電話による入退室セキュリティ管理システム構成を示す応用概略図である。
【００４６】  図２は、本発明の実施形態の一つで赤外線通信機能付きの携帯電話による入退室セキュリティ管理システム構成を示すブロック図である。
【００４７】  本発明における赤外線通信機能付きの携帯電話による入退室セキュリティ管理システムは、認証顔画像入力用の携帯電話１、顔画像暗号化部２、登録時・認証時の選択部３、赤外線通信の送信部４、登録成功・認証結果の表示部５、顔画像受信部６、顔画像復号化部７、顔位置測定部８、顔画像抽出９、顔特徴抽出部１０、最適化顔特徴情報作成部１１、顔登録情報及び認証情報作成部１２、顔認証部１３、顔画像登録成功・認証結果送信部１４、赤外線による開閉錠信号の送信部Ｆ、顔登録情報用データベースＤＢ、入退室セキュリティ管理システムの顔認証サーバーＳ、施設の各出入り口の鍵コントローラＧ１…Ｇｉから構成されている。
【００４８】  認証顔画像入力用の携帯電話１は、携帯電話のカメラによる利用者のｎ×ｍ（ｎ≧ｍ）画素の顔画像撮影、認証用顔画像の送信や受信の機能を持つ。
【００４９】  顔画像暗号化部２は、撮影した画像を暗号化し、暗号化した顔画像に顔画像に利用者位置情報を加え、登録時・認証時の選択部３へ送信する。
【００５０】  登録時・認証時の選択部３は、利用者が選択した登録時・認証時の情報を加えて送信部４へ送信する。
【００５１】  送信部４は登録時・認証時の選択部３から送信された顔認証用情報を入退室セキュリティ管理システムの顔認証サーバーＳへ送信する。
【００５２】  顔情報受信部６は上記携帯電話から送信された顔認証用情報を受信し、顔画像復号化部７へ送信する。
【００５３】  顔画像復号化部７は上記顔情報受信部７から送信された顔認証情報を復号し、顔位置測定部８へ送信する。
【００５４】  顔位置測定部８は、携帯電話のカメラによる撮影したｎ×ｍ（ｎ≧ｍ）画素の顔画像情報に対し、先ず、両目、両眉の位置を測定し、その両目、両眉の縦位置はほぼ同じで顔の中心線に対して対象であること、鼻、口は目の下部にあることなど顔全体の構造に関する知識を利用して、遺伝的アルゴリズムにより鼻を測定し、最後に遺伝的アルゴリズムにおける生物の遺伝と進化のメカリズムにより多数の候補の中から最適なものを選択し、口位置を測定し測定された両目、鼻、口の情報は、顔画像抽出部９へ送信する。
【００５５】  顔画像抽出部９は、前記顔位置測定部９から送信された顔（両目、鼻、口）位置情報により顔輪郭算出公式を用いて正確な顔画像の抽出を行い、顔特徴抽出部１０へ抽出された顔画像を送信する。
【００５６】  顔特徴抽出部１０は前記顔画像抽出部９から送信された顔画像に対し、周波数領域へ変換し、顔特徴情報を抽出して最適化顔特徴情報作成部１１へ抽出された顔特徴情報を送信する。
【００５７】  最適化顔特徴情報作成部１１は顔特徴抽出部１１から受信した顔特徴情報を最適化し、登録情報及び認証情報作成部１２へ最適化顔特徴情報を送信する。
【００５８】  登録情報及び認証情報作成部１２は受信した最適化顔特徴情報につける登録時・認証時の情報によって登録用顔特徴情報（登録際）を登録用データベースＤＢへ送信し、保存する。
【００５９】  登録情報及び認証情報作成部１２は受信した最適化顔特徴情報につける登録時・認証時の情報によって顔画像登録成功・認証結果送信部１４へ登録時の登録成功結果または登録失敗、再登録要請情報を送信する。
【００６０】  登録情報及び認証情報作成部１２は受信した最適化顔特徴情報につける登録時・認証時の情報によって認証時の認証用顔特徴情報を顔認証部１３へ送信する。
【００６１】  顔認証部１３は認証用顔特徴情報と登録用データベースＤＢに保存されている登録用顔特徴情報との照合による類似度の計算アルゴリズムと認証閾値の設定アルゴリズムを用いて本人か否かの認証結果を獲得し顔画像登録成功・認証結果送信部１４へ認証結果を送信する。
【００６２】  顔画像登録成功・認証結果送信部１４は携帯電話の登録成功・認証結果の表示部５へ登録時の登録成功結果または登録失敗、再登録要請情報を送信する。
【００６３】  顔画像登録成功・認証結果送信部１４は顔認証部１３から受信した認証結果によって携帯電話の登録成功・認証結果の表示部６へ認証時の認証結果を送信する。
【００６４】  携帯電話における赤外線による開閉錠信号の送信部Ｆは認証結果によって利用者所在地に対応する施設の出入り口の鍵コントローラＧ１…Ｇｉに開閉錠信号Ｘを送信する
【００６５】  顔画像登録成功・認証結果送信部１４は顔認証部１３から受信した認証結果によって利用者所在地に対応する施設の出入り口の鍵コントローラＧ１…Ｇｉに開閉錠信号Ｙを送信する。
【００６６】  利用者所在地に対応する施設の出入り口の鍵コントローラＧ１…Ｇｉにおいて開閉錠信号Ｚは、Ｚ＝Ｘ・Ｙ  （論理積公式）；
Ｘ＝Ｙ＝１のときのみ、Ｚ＝Ｘ・Ｙ＝１；出入り口が開錠する。
ここでＸは、携帯電話における赤外線による開閉錠信号の送信部Ｆから送信された開閉錠信号、１または０；
Ｙは、顔画像登録成功・認証結果送信部１４から送信された開閉錠信号、１または０。
【００６７】  図５は、本発明の実施形態のもう一つである位置情報測定（ＧＰＳ（使用環境：室外や室内にＧＰＳ受信良好状態）、簡易位置情報測定（使用環境：室内にＧＰＳ受信悪化状態）機能付きの携帯電話による入退室セキュリティ管理システム構成を示す応用概略図である。
【００６８】  図６は、本発明の実施形態のもう一つである位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システム構成を示すブロック図である。
【００６９】  本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムは、認証顔画像入力用の携帯電話１、顔画像暗号化部２、顔画像に利用者位置情報を加える部３、登録時・認証時の選択部４、顔画像送信部５、登録成功・認証結果の表示部６、顔画像受信部７、顔画像復号化部８、顔位置測定部９、顔画像抽出１０、顔特徴抽出部１１、最適化顔特徴情報作成部１２、顔登録情報及び認証情報作成部１３、顔認証部１４、顔画像登録成功・認証結果送信部１５、顔登録情報用データベースＤＢ、入退室セキュリティ管理システムの顔認証サーバーＳ、施設の各出入り口の鍵コントローラＧ１…Ｇｉ、ＧＰＳ・簡易位置情報測定を提供する基地局Ｂから構成されている。
【００７０】  認証顔画像入力用の携帯電話１は、携帯電話のカメラによる利用者のｎ×ｍ（ｎ≧ｍ）画素の顔画像撮影、認証用顔画像の送信や受信の機能を持つ。
【００７１】  顔画像暗号化部２は、撮影した画像を暗号化し、顔画像に利用者位置情報を加える部３へ送信する。
【００７２】  顔画像に利用者位置情報を加える部３は、暗号化した顔画像に利用者位置情報を加え、登録時・認証時の選択部４へ送信する。
【００７３】  登録時・認証時の選択部４は、利用者が登録時・認証時を選択し、前記顔画像に利用者位置情報を加える部３から送信された顔認証用情報に登録時・認証時の情報を加えて顔画像送信部５へ送信する。
【００７４】  顔画像送信部５は登録時・認証時の選択部４から送信された顔認証用情報を入退室セキュリティ管理システムの顔認証サーバーＳへ送信する。
【００７５】  顔画像受信部７は上記携帯電話から送信された顔画像情報を受信し、顔画像復号化部８へ送信する。
【００７６】  顔画像復号化部８は上記顔画像受信部７から送信された顔画像情報を復号し、顔位置測定部９へ送信する。
【００７７】  顔位置測定部９は、携帯電話のカメラによる撮影したｎ×ｍ（ｎ≧ｍ）画素の顔画像情報に対し、先ず、両目、両眉の位置を測定し、その両目、両眉の縦位置はほぼ同じで顔の中心線に対して対象であること、鼻、口は目の下部にあることなど顔全体の構造に関する知識を利用して、遺伝的アルゴリズムにより鼻を測定し、最後に遺伝的アルゴリズムにおける生物の遺伝と進化のメカリズムにより多数の候補の中から最適なものを選択し、口位置を測定し測定された両目、鼻、口の情報は、顔画像抽出部１０へ送信する。
【００７８】  顔画像抽出部１０は、前記顔位置測定部９から送信された顔（両目、鼻、口）位置情報により顔輪郭算出公式を用いて正確な顔画像の抽出を行い、顔特徴抽出部１１へ抽出された顔画像を送信する。
【００７９】  顔特徴抽出部１１は前記顔画像抽出部１０から送信された顔画像に対し、周波数領域へ変換し、顔特徴情報を抽出して最適化顔特徴情報作成部１２へ抽出された顔特徴情報を送信する。
【００８０】  最適化顔特徴情報作成部１２は顔特徴抽出部１１から受信した顔特徴情報を最適化し、登録情報及び認証情報作成部１３へ最適化顔特徴情報を送信する。
【００８１】  登録情報及び認証情報作成部１３は受信した最適化顔特徴情報につける登録時・認証時の情報によって登録用顔特徴情報（登録際）を登録用データベースＤＢへ送信し、保存する。
【００８２】  登録情報及び認証情報作成部１３は受信した最適化顔特徴情報につける登録時・認証時の情報によって顔画像登録成功・認証結果送信部１５へ登録時の登録成功結果または登録失敗、再登録要請情報を送信する。
【００８３】  登録情報及び認証情報作成部１３は受信した最適化顔特徴情報につける登録時・認証時の情報によって認証時の認証用顔特徴情報を顔認証部１４へ送信する。
【００８４】  顔認証部１４は認証用顔特徴情報と登録用データベースＤＢに保存されている登録用顔特徴情報との照合による類似度の計算アルゴリズムと認証閾値の設定アルゴリズムを用いて本人か否かの認証結果を獲得し顔画像登録成功・認証結果送信部１５へ認証結果を送信する。
【００８５】  顔画像登録成功・認証結果送信部１５は携帯電話の登録成功・認証結果の表示部６へ登録時の登録成功結果または登録失敗、再登録要請情報を送信する。
【００８６】  顔画像登録成功・認証結果送信部１５は顔認証部１４から受信した認証結果によって携帯電話の登録成功・認証結果の表示部６へ認証時の認証結果を送信する。
【００８７】  顔画像登録成功・認証結果送信部１５は顔認証部１４から受信した認証結果によって利用者所在地に対応する施設の各出入り口の鍵コントローラＧ１…Ｇｉに開閉錠コントロール信号を送信する。
【００８８】  以上、本発明の望ましい実施形式について説明したが、当然本発明の技術は上記以外のセキュリティ応用分野に広く適用できる。
【図面の簡単な説明】
【００８９】
【図１】本発明における赤外線通信機能付きの携帯電話による入退室セキュリティ管理システム構成の一例を示す応用概略図
【図２】本発明における赤外線通信機能付きの携帯電話による入退室セキュリティ管理システムの一例を示す機能ブロック図
【図３−１】本発明における赤外線通信機能付きの携帯電話による入退室セキュリティ管理システムの登録処理の一例を示すフローチャートのその１
【図３−２】本発明における赤外線通信機能付きの携帯電話による入退室セキュリティ管理システムの登録処理の一例を示すフローチャートのその２
【図４−１】本発明における赤外線通信機能付きの携帯電話による入退室セキュリティ管理システムの認証処理の一例を示すフローチャートのその１
【図４−２】本発明における赤外線通信機能付きの携帯電話による入退室セキュリティ管理システムの認証処理の一例を示すフローチャートのその２
【図５】本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システム構成の一例を示す応用概略図
【図６】本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムの一例を示す機能ブロック図
【図７−１】本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムの登録処理の一例を示すフローチャートのその１
【図７−２】本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムの登録処理の一例を示すフローチャートのその２
【図８−１】本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムの認証処理の一例を示すフローチャートのその１
【図８−２】本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムの認証処理の一例を示すフローチャートのその２
【符号の説明】
【００９０】    本発明における赤外線通信機能付きの携帯電話による入退室セキュリティ管理システム構成を示す応用概略図（図１）についての符号説明：
Ｐ：利用者
Ｍ：利用者が持っている赤外線通信機能付きの携帯電話
ＧＡ１：利用者のいる施設出入り口
ＧＢ１、ＧＢ２、・・・、ＧＢＮ：各施設出入り口
Ｌ：赤外線受信機能付きのコントローラ鍵
Ｗ：携帯電話通信の基地局
【００９１】  本発明における赤外線通信機能付きの携帯電話による入退室セキュリティ管理システムの一例を示す機能ブロック図（図２）についての符号説明：
１：認証顔画像入力用の携帯電話
２：顔画像暗号化部
３：顔画像にＩＤ番号を加える部
４：登録時・認証時の選択部
５：顔画像の送信部
６：登録成功・認証結果の表示部
７：顔画像の受信部
８：顔画像復号化部
９：顔位置測定部
１０：顔画像抽出
１１：顔特徴抽出部
１２：最適化顔特徴情報作成部
１３：顔登録情報及び認証情報作成部
１４：顔認証部
１５：利用者携帯電話への顔画像登録成功・認証結果送信部
Ｆ：赤外線による開閉錠信号の送信部
ＤＢ：顔登録情報用データベース
Ｓ：入退室セキュリティ管理システムの顔認証サーバー
Ｇ１…Ｇｉ：施設の複数出入り口
【００９２】  本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システム構成の一例を示す応用概略図（図５）についての符号説明：
Ｐ：利用者
Ｍ：利用者の位置情報測定（ＧＰＳ（使用環境：室外や室内にＧＰＳ受信良好状態）、簡易位置情報測定（使用環境：室内にＧＰＳ受信悪化状態））機能付き携帯電話
ＧＡ１：利用者のいる施設出入り口
ＧＢ１、ＧＢ２、・・・、ＧＢＮ：各施設出入り口
Ｂ：ＧＰＳ・簡易位置測定を提供する基地局
【００９３】  本発明における位置情報測定（ＧＰＳ（使用環境：室外や室内にＧＰＳ受信良好状態）、簡易位置情報測定（使用環境：室内にＧＰＳ受信悪化状態））機能付きの携帯電話による入退室セキュリティ管理システムの一例を示す機能ブロック図（図６）についての説明：
１：認証顔画像入力用の携帯電話
２：顔画像暗号化部
３：顔画像にＩＤ番号を加える部
４：登録時・認証時の選択部
５：認証用顔情報の送信部
６：登録成功・認証結果の表示部
７：認証用顔情報の受信部
８：顔画像復号化部
９：顔位置測定部
１０：顔画像抽出
１１：顔特徴抽出部
１２：最適化顔特徴情報作成部
１３：顔登録情報及び認証情報作成部
１４：顔認証部
１５：顔画像登録成功・認証結果送信部
ＤＢ：顔登録情報用データベース
Ｓ：入退室セキュリティ管理システムの顔認証サーバー
Ｇ１…Ｇｉ：施設の各出入り口の鍵コントローラ
Ｂ：ＧＰＳ・簡易位置測定を提供する基地局
【図１】
2008102890.tif 000003
【図２】
2008102890.tif 000004
【図３−１】
2008102890.tif 000005
【図３−２】
2008102890.tif 000006
【図４−１】
2008102890.tif 000007
【図４−２】
2008102890.tif 000008
【図５】
2008102890.tif 000009
【図６】
2008102890.tif 000010
【図７−１】
2008102890.tif 000011
【図７−２】
2008102890.tif 000012
【図８−１】
2008102890.tif 000013
【図８−２】
2008102890.tif 000014